(57)【要約】【課題】  空気中のホルムアルデヒドを捕捉して室内等における空気の清浄を図ることができ、また、十分な強度が得られ、しかも塗装，印刷が可能で、室内壁のデザインの自由度が高い裏打ち材付きパネルを提供する。を提供する。【解決手段】  パネル面を形成する板状のパネル本体１の裏面に、裏打ち材２を重合した裏打ち材付きパネルにおいて、裏打ち材にホルムアルデヒド補足物質が配合されている石膏系ボード２を使用するとともに、パネル本体１に、多数の開口部４を形成し、それらの開口部４を介して前記石膏系ボード２の表面を外部空気に接触させるようにする。【選択図】  図１
2005105601.tif 000002
【特許請求の範囲】
【請求項１】
パネル面を形成する板状のパネル本体の裏面に、裏打ち材を重合した裏打ち材付きパネルにおいて、
裏打ち材にホルムアルデヒド補足物質が配合されている石膏系ボードを使用するとともに、パネル本体に、多数の開口部を形成し、それらの開口部を介して前記石膏系ボードの表面を外部空気に接触させるようにした
ことを特徴とする裏打ち材付きパネル。
【請求項２】
前記パネル本体と石膏系ボードとの間に、間隙を設けたことを特徴とする請求項１に記載の裏打ち材付きパネル。
【請求項３】
前記パネル本体に、部分的に凹状部を設け、この凹状部の側面に前記開口部を設けたことを特徴とする請求項２に記載の裏打ち材付きパネル。
【請求項４】
前記石膏系ボードに、その表面から裏面に貫通する孔を設けたことを特徴とす請求項１〜３に記載の裏打ち材付きパネル。
【請求項５】
前記パネル本体の開口部の位置と前記石膏系ボードの孔の位置とを、正面視において互いにずらして設けたことを特徴とする請求項４に記載の裏打ち材付きパネル。
【発明の詳細な説明】
【技術分野】
【０００１】
本発明は、裏打ち材付きパネルに係わり、詳しくは、ホルムアルデヒド補足性物質が配合されている石膏系ボードを使用した裏打ち材付きパネルに関する。
【背景技術】
【０００２】
建材や家具等の接着剤等から発生するホルムアルデヒドによる室内空気の汚染を低減するために、ホルムアルデヒド補足性物質を配合させた石膏系建材は公知である（例えば、特許文献１参照）。
特許文献１に開示された石膏系建材は、通常の石膏ボード製造ラインにおいて、石膏芯に配合する「アミド硫酸アンモニウム」を、石膏１００重量部に対して０、１〜１重量部の範囲で変化させて製造したもの（実施例１〜３）で、それらの石膏系ボードは、表１において、ホルムアルデヒド補足性に優れていることが示されている。
【０００３】
【特許文献１】特開２００１−３２３６３７号公報（第４頁右欄第２０行〜第３０行，表１，第１０頁左欄第２９行〜第３３行）
【発明の開示】
【発明が解決しようとする課題】
【０００４】
ところで、前記特許文献１に開示されているような石膏系建材を、そのまま室内のパネルとして使用すると、壁の質感が石膏の質感に限定されてしまう。壁の質感を変えるために、例えば、石膏系建材に塗装，印刷等を施すと、室内空気の石膏表面への接触が妨げられ、ホルムアルデヒドの補足性能が大幅に減退する。
また、石膏系建材は、靭性に乏しいため、割れ易く、運搬および取付け作業等の取扱いに、十分な注意を必要とする。
【０００５】
本発明は、前記従来の現状に鑑み、空気中のホルムアルデヒドを捕捉して室内等における空気の清浄を図ることができ、かつ、塗装，印刷が可能で、室内壁のデザインの自由度が高く、しかも、十分な強度が得られる裏打ち材付きパネルを提供することを目的とする。
【課題を解決するための手段】
【０００６】
本発明によると、上記課題は、次のようにして解決される。
（１）パネル面を形成する板状のパネル本体の裏面に、裏打ち材を重合した裏打ち材付きパネルにおいて、裏打ち材にホルムアルデヒド補足物質が配合されている石膏系ボードを使用するとともに、パネル本体に、多数の開口部を形成し、それらの開口部を介して前記石膏系ボードの表面を外部空気に接触させるようにする。
【０００７】
（２）上記(１)項において、前記パネル本体と石膏系ボードとの間に、間隙を設ける。
【０００８】
（３）上記（２）項において、前記パネル本体に、部分的に凹状部を設け、この凹状部の側面に前記開口部を設ける。
【０００９】
（４）上記（１）〜（３）項のいずれかにおいて、前記石膏系ボードに、その表面から裏面に貫通する孔を設ける。
【００１０】
（５）上記（４）項において、前記パネル本体の開口部の位置と前記石膏系ボードの孔の位置とを、正面視において互いにずらして設ける。
【発明の効果】
【００１１】
本発明によれば、次のような効果が奏せられる。
(１)  前記(１)項記載の発明によると、パネル本体を石膏系ボードの表面に配置しているので、パネル本体に塗装、印刷が可能になり、室内壁のデザインの自由度が高まり、パネル本体の孔を介して、室内の空気を石膏系ボードの表面に接触させることができ、ホルムアルデヒドの補足性能が損なわれることはない。また、石膏系ボードがパネル本体によて覆われているので、高い強度が得られる。
【００１２】
(２)  前記(２)項記載の発明によると、石膏系ボードの表面全体に空気が接触するので、ホルムアルデヒド捕捉効果を高めることができる。
【００１３】
(３)  前記(３)項記載の発明によると、凹状部の側面に孔が形成されているので、孔が正面外部から見えないので、孔の形成によって外観が損なわれることがない。
【００１４】
(４)  前記(４)項記載の発明によると、空気が石膏系ボードの表面ばかりでなく、孔を介して裏面にも達するので、空気の接触面積が広くなり、それだけ石膏系ボードによるホルムアルデヒドの捕捉性能が高まる。
【００１５】
(５)  前記(５)項記載の発明によると、石膏系ボードに形成された孔が外部から見えないので、石膏ボードへの孔の形成によって外観が損なわれることがない。
【発明を実施するための最良の形態】
【００１６】
図１は、本発明に係る裏打ち材付きパネルを間仕切りパネルに適用した第１実施形態を示す分解斜視図、図２は、図１に示す間仕切りパネルを組付けた状態におけるII−II線断面図である。
【００１７】
間仕切りパネル（Ａ）は、方形鋼板よりなるパネル本体(１)と、この裏面側を裏打ちする石膏系ボード(２)と、この石膏系ボード(２)の裏面側に配設された背面板(３)とよりなっている。
【００１８】
パネル本体(１)は、全面に多数の開口部(４)を有する、いわゆるパンチングパネルであって、その左右両側端には、上記鋼板を裏面側に互いに対向するコ字状に折曲することにより、コ字間隙内の寸法を裏打ち材(２)の板厚よりも若干大とした折り返し片(５)が形成されている。折り返し片(５)の後面部(5a)には、その上下方向に、複数のネジ挿通孔(６)が形成されている。
【００１９】
石膏系ボード(２)は、主材である石膏にホルムアルデヒド捕捉性物質を配合することによって形成されたもので、左右長を、パネル本体(１)の左右寸法よりも若干小寸とすることにより、左右の折り返し片(５)のコ字間隙内に収容し得る大きさとしてある。
【００２０】
背面板(３)は、鋼板によって形成され、その左右両側端には、前方に折曲され、さらに側端外方へ曲折された、Ｌ字状の折り返し片(７)が形成されている。折り返し片(７)のフランジ部(7a)には、上記パネル本体(１)のネジ挿通孔(６)と対応する位置にネジ挿通孔(８)が形成されている。
【００２１】
間仕切りパネル（Ａ）は、石膏系ボード(２)の左右端部をパネル本体(１)の折り返し片(５)のコ字状間隙内に収容するようにして、石膏系ボード(２)をパネル本体(１)内に配置するとともに、背面板(３)の折り返し片(７)のフランジ部(7a)を、パネル本体(１)の折り返し片(５)の後面部(5a)と、石膏系ボード(２)の左右端後面との間に収容するようにして、背面板(３)を配置し、パネル本体(１)のネジ挿通孔(６)および背面板(３)のネジ挿通孔(８)を介して挿入させたネジ(９)を石膏系ボード(２)に螺入させ、ネジ(９)によってパネル本体(１)，石膏系ボード(２)および背面板(３)の３者を一体化させてある。
【００２２】
間仕切りパネル（Ａ）は、石膏系ボード(２)の前面とパネル本体(１)の背面との間に間隙(10)が形成され、パネル本体(１)の開口部(４)から侵入する空気は、石膏系ボード(２)の前面全体に接触し、石膏系ボード(２)に配合されているホルムアルデヒド捕捉物質によって空気内のホルムアルデヒドが吸収される。浄化された空気は、開口部(４)から再び室内に流出する。
【００２３】
図３は、本発明の第２の実施形態を示す横断面図である。なお、石膏系ボード(２)と背面板(３)とは、前記第１実施形態と同一の構造のものが採用されているので、これらには、同一の符号を付して、その説明を省略する。
【００２４】
間仕切りパネル（Ｂ）は、方形鋼板よりなるパネル本体(11)と、この裏面側を裏打ちする石膏系ボード(２)と、この石膏系ボード(２)の裏面側に配設された背面板(３)とよりなっている。
【００２５】
パネル本体(11)は、左右方向の複数箇所で、後方に突出し、上下方向に延設された凹状部(12)が設けられているとともに、前記凹状部(12)を除く面に多数の開口部(13)が形成されている。前記パネル本体(11)には、その左右両側端に、上記鋼板を裏面側に互いに対向するコ字状に折曲することにより、コ字間隙内の寸法を石膏系ボード(２)の板厚よりも若干大とした折り返し片(14)が形成されている。そして、折り返し片(14)の後面部(14a)には、その上下方向に、複数のネジ挿通孔(15)が形成されている。
【００２６】
間仕切りパネル（Ｂ）は、石膏系ボード(２)の左右端部をパネル本体(11)の折り返し片(14)のコ字状間隙内に収容するようにして、石膏系ボード(２)をパネル本体(11)内に配置するとともに、背面板(３)の折り返し片(７)のフランジ部(7a)を、パネル本体(11)の折り返し片(14)の後面部(14a)と、石膏系ボード(２)の左右端後面との間に収容するようにして、背面板(３)を配置し、パネル本体(11)のネジ挿通孔(15)および背面板(３)のネジ挿通孔(８)を介して挿入させたネジ(９)を石膏系ボード(２)に螺入させ、ネジ(９)によってパネル本体(11)，石膏系ボード(２)および背面板(３)の３者を一体化させてある。
【００２７】
この間仕切りパネル（Ｂ）は、パネル本体(11)における凹状部(12)の底壁後面が石膏系ボード(２)の前面に当接し、パネル本体(11)を裏側から補強するとともに、石膏系ボード(２)の前面とパネル本体(11)の背面との間に間隙(16)が形成され、パネル本体(11)の開口部(13)から前記間隙(16)に侵入した空気は、石膏系ボード(２)の前面のほぼ全体に接触し、石膏系ボード(２)に配合されているホルムアルデヒド捕捉物質によって空気内のホルムアルデヒドが吸収される。浄化された空気は、開口部(13)から再び室内に戻される。
【００２８】
図４は、本発明の第３実施形態を示す横断面図である。なお、石膏系ボード(２)と背面板(３)とは、同じく上記第１実施形態と同一の構造のものが採用されているので、これらには、同一の符号を付して、その説明を省略する。
【００２９】
間仕切りパネル（Ｃ）は、方形鋼板よりなるパネル本体(17)と、この裏面側を裏打ちする石膏系ボード(２)と、この石膏系ボード(２)の裏面側に配設された背面板(３)とよりなっている。
【００３０】
パネル本体(17)は、左右方向の複数箇所で、後方に突出し、上下方向に延設された凹状部(18)が形成され、その凹状部(18)の側壁に多数の開口部(19)が形成されている。このパネル本体(17)には、その左右両側端に、上記鋼板を裏面側に互いに対向するコ字状に折曲することにより、コ字間隙内の寸法を石膏系ボード(２)の板厚よりも若干大とした折り返し片(20)が形成されている。折り返し片(20)の後面部(20a)には、その上下方向に、複数のネジ挿通孔(21)が形成されている。
【００３１】
この間仕切りパネル（Ｃ）は、石膏系ボード(２)の左右端部をパネル本体(17)の折り返し片(20)のコ字状間隙内に収容するようにして、石膏系ボード(２)をパネル本体(17)内に配置するとともに、背面板(３)の折り返し片(７)のフランジ部(7a)を、パネル本体(17)の折り返し片(20)の後面部(20a)と、石膏系ボード(２)の左右端後面との間に収容するようにして、背面板(３)を配置し、パネル本体(17)のネジ挿通孔(21)および背面板(３)のネジ挿通孔(８)を介して挿入させたネジ(９)を石膏系ボード(２)に螺入させ、ネジ(９)によってパネル本体(17)，石膏系ボード(２)および背面板(３)の３者を一体化させてある。
【００３２】
この間仕切りパネル（Ｃ）は、凹条(18)の底壁後面が石膏系ボード(２)の前面に当接し、パネル本体(17)を補強するとともに、石膏系ボード(２)の前面とパネル本体(17)の背面との間に間隙(22)が形成され、パネル本体(17)の凹条(18)の側壁に形成された開口部(19)から前記間隙(22)に侵入した空気は、石膏系ボード(２)の前面のほぼ全体に接触し、石膏系ボード(２)に配合されているホルムアルデヒド捕捉物質によって空気内のホルムアルデヒドが吸収される。浄化された空気は、開口部(19)から再び室内に戻される。
この間仕切りパネル（Ｃ）の場合には、開口部(19)が凹条(18)の側壁に形成されているので、開口部(19)がパネル面側の外方から見えないため、外観がよい。
【００３３】
図５は、本発明の第４実施形態を示す横断面図である。なお、パネル本体(11)は、前記第２実施形態と、背面板(３)は、前記第１実施形態と、それぞれ同一の構造のものが採用されているので、これらには、同一の符号を付して、その説明を省略する。
【００３４】
この間仕切りパネル（Ｄ）における石膏系ボード(23)は、その表面から裏面に貫通する多数の孔(24)が形成されている。
【００３５】
前記間仕切りパネル（Ｄ）は、石膏系ボード(23)の左右端部をパネル本体(11)の折り返し片(14)のコ字状間隙内に収容するようにして、石膏系ボード(23)をパネル本体(11)内に配置するとともに、背面板(３)の折り返し片(７)のフランジ部(7a)を、パネル本体(11)の折り返し片(14)の後面部(14a)と、石膏系ボード(23)の左右端後面との間に収容するようにして、背面板(３)を配置し、パネル本体(11)のネジ挿通孔(15)および背面板(３)のネジ挿通孔(８)を介して挿入させたネジ(９)を石膏系ボード(23)に螺入させ、ネジ(９)によってパネル本体(11)，石膏系ボード(23)および背面板(３)の３者を一体化させている。
【００３６】
前記間仕切りパネル（Ｄ）は、凹状部(19)の底壁後面が石膏系ボード(23)の前面に当接し、パネル本体(11)を補強するとともに、石膏系ボード(23)の前面とパネル本体(18)の背面との間に間隙(25)が形成され、パネル本体(11)の開口部(13)から前記間隙(25)に侵入した空気は、石膏系ボード(23)の前面のほぼ全体に接触し、さらに、石膏系ボード(23)の孔(24)を経て石膏系ボード(23)の裏面側間隙(26)にも侵入し、石膏系ボード(23)の裏面のほぼ全面にも接触し、石膏系ボード(23)に配合されているホルムアルデヒド捕捉物質によって空気内のホルムアルデヒドが吸収される。浄化された空気は、開口部(13)から再び室内に戻される。
この間仕切りパネル（Ｄ）の場合には、開口部(13)の位置が、石膏系ボード(23)に形成された孔(24)の位置から、正面視において互いにずれるように設けてあるので、石膏系ボード(23)の孔(24)はパネル本体(11)によって隠されるため、外観がよい。
【００３７】
図６は、本発明の第５実施形態を示す横断面図である。なお、パネル本体(17)は、前記第３実施形態と、石膏ボード(23)は、前記第４実施形態と、背面板(３)は、前記第１実施形態と、それぞれ同一の構造のものが採用されているので、これらには、同一の符号を付して、その説明を省略する。
【００３８】
間仕切りパネル（Ｅ）は、石膏系ボード(23)の左右端部をパネル本体(17)の折り返し片(20)のコ字状間隙内に収容するようにして、石膏系ボード(23)をパネル本体(17)内に配置するとともに、背面板(３)の折り返し片(７)のフランジ部(7a)を、パネル本体(17)の折り返し片(20)の後面部(20a)と、石膏系ボード(23)の左右端後面との間に収容して、背面板(３)を配置し、パネル本体(17)のネジ挿通孔(21)および背面板(３)のネジ挿通孔(８)を介して挿入させたネジ(９)を石膏系ボード(23)に螺入させ、ネジ(９)によってパネル本体(17)，石膏系ボード(23)および背面板(３)の３者を一体化させてある。
【００３９】
前記間仕切りパネル（Ｅ）は、凹状部(18)の底壁後面が石膏系ボード(23)の前面に当接し、パネル本体(17)を補強するとともに、石膏系ボード(23)の前面とパネル本体(17)の背面との間、および石膏系ボード(23)の背面と背面板(３)との間に、それぞれ間隙(27)，(28)が形成され、パネル本体(17)の開口部(19)から前記間隙(27)に侵入した空気は、石膏系ボード(23)の前面のほぼ全体に接触し、さらに、石膏系ボード(23)の孔(24)を経て石膏系ボード(23)の裏面側間隙(28)にも侵入し、石膏系ボード(23)の裏面のほぼ全面にも接触し、石膏系ボード(23)に配合されているホルムアルデヒド捕捉物質によって空気内のホルムアルデヒドが吸収される。浄化された空気は、開口部(19)から再び室内に流出する。
この間仕切りパネル（Ｄ）は、開口部(19)が凹条部(18)の側壁に形成されているので、パネル面側の外方から前記開口部(19)が見えないため、外観がよい。
【図面の簡単な説明】
【００４０】
【図１】本発明の裏打ち材付きパネルを間仕切りパネルに適用した第１実施形態の分解斜視図である。
【図２】図１の間仕切りパネルを組付けた状態におけるII-II線横断面図である。
【図３】本発明に係る間仕切りパネルの第２実施形態を示す、図２と同様の横断面図である。
【図４】本発明に係る間仕切りパネルの第３実施形態を示す、図２と同様の横断面図である。
【図５】本発明に係る間仕切りパネルの第４実施形態を示す、図２と同様の横断面図である。
【図６】本発明に係る間仕切りパネルの第５実施形態を示す、図２と同様の横断面図である。
【符号の説明】
【００４１】
(Ａ)間仕切りパネル
(１)パネル本体
(２)石膏系ボード
(３)背面板
(４)開口部
(５)折り返し片
(5a)後面部
(６)ネジ挿通孔
(７)折り返し片
(7a)フランジ部
(８)ネジ挿通孔
(９)ネジ
(10)間隙
(Ｂ)間仕切りパネル
(11)パネル本体
(12)凹状部
(13)開口部
(14)追い返し片
(14a)後面部
(15)ネジ挿通孔
(16)間隙
(Ｃ)間仕切りパネル
(17)パネル本体
(18)凹状部
(19)開口部
(20)折り返し片
(20a)後面部
(21)ネジ挿通孔
(22)間隙
(Ｄ)間仕切りパネル
(23)石膏系ボード
(24)孔
(25)，(26)間隙
(Ｅ)間仕切りパネル
(27)，(28)間隙
【図１】
2005105601.tif 000003
【図２】
2005105601.tif 000004
【図３】
2005105601.tif 000005
【図４】
2005105601.tif 000006
【図５】
2005105601.tif 000007
【図６】
2005105601.tif 000008